【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
コンポーネントと、
第１の無線プロトコルで動作する第１のサブクライアントモジュールと、
前記第１の無線プロトコルとは異なる第２の無線プロトコルで動作する第２のサブクライアントモジュールと、
前記第１のサブクライアントモジュールをスリープ状態に入るまたは出るよう選択的に遷移させることにより、前記第２のサブクライアントモジュールが前記スリープ状態の間に前記コンポーネントを使用できるようにするコンポーネント共有制御モジュールと、
を含み、
前記第１のサブクライアントモジュールと前記第２のサブクライアントモジュールとで前記コンポーネントを共有して使用し、
前記第１のサブクライアントモジュールおよび前記コンポーネント共有制御モジュールの少なくとも１つは、前記第１のサブクライアントモジュールが第１の伝送を受信することになっている予め決められた第１の期間に前記第２のサブクライアントモジュールが前記コンポーネントを使用することを防ぎ、
前記第１のサブクライアントモジュールは、ＷｉＭＡＸサブクライアントモジュールを含み、前記第２のサブクライアントモジュールは、ＷＬＡＮサブクライアントモジュールを含み、
前記ＷＬＡＮサブクライアントモジュールは、前記ＷｉＭＡＸサブクライアントモジュールがＭＡＰ（移動通信応用部）を受信することになっている期間に前記コンポーネントに予約信号を伝送する、
無線ネットワークインターフェース。
【請求項２】
前記第１のサブクライアントモジュールおよび前記第２のサブクライアントモジュールの少なくとも１つは、ワイマックス（ＷｉＭＡＸ）サブクライアントモジュール、無線ＬＡＮ（ＷＬＡＮ）サブクライアントモジュール、および、Ｂｌｕｅｔｏｏｔｈ（登録商標）サブクライアントモジュールの少なくとも１つを含む、請求項１に記載の無線ネットワークインターフェース。
【請求項３】
前記第１のサブクライアントモジュールは、前記第１のサブクライアントモジュールが前記スリープ状態に入ることを示す信号を前記第２のサブクライアントモジュールに送信する、請求項１または２に記載の無線ネットワークインターフェース。
【請求項４】
前記コンポーネントは、アンテナおよび無線周波数サブシステム（ＲＦサブシステム）の少なくとも１つを含む、請求項１から３のいずれかに記載の無線ネットワークインターフェース。
【請求項５】
前記ＲＦサブシステムは、フィルタ、スイッチ、送信機（Ｔｘ）、受信機（Ｒｘ）、および、ベースバンドプロセッサ（ＢＢＰ）モジュールの少なくとも１つを含む、請求項４に記載の無線ネットワークインターフェース。
【請求項６】
前記第１のサブクライアントモジュールは、信号電力を選択的に低下させることにより、前記第２のサブクライアントモジュールからの信号による信号干渉を減少させる、請求項１から５のいずれかに記載の無線ネットワークインターフェース。
【請求項７】
前記第１のサブクライアントモジュール、および、前記コンポーネント共有制御モジュールの少なくとも１つは、前記第１のサブクライアントモジュールが第２の伝送を受信することになっている予め決められた第２の期間に前記第２のサブクライアントモジュールが伝送を受信することを防ぐ、請求項１から６のいずれかに記載の無線ネットワークインターフェース。
【請求項８】
前記スリープ状態は、アイドル状態および低電力状態の少なくとも１つを含む、請求項１から７のいずれかに記載の無線ネットワークインターフェース。
【請求項９】
前記予約信号は、ＣＴＳ−Ｓｅｌｆプロトコルを含む、請求項１から８のいずれかに記載の無線ネットワークインターフェース。
【請求項１０】
前記ＷＬＡＮサブクライアントモジュールは、ネットワークからの伝送を受信し、前記ネットワークに伝送を送信する、請求項１から９のいずれかに記載の無線ネットワークインターフェース。
【請求項１１】
前記第１のサブクライアントモジュールは、ＷＬＡＮサブクライアントモジュールを含み、前記第２のサブクライアントモジュールは、ＷｉＭＡＸサブクライアントモジュールを含む、請求項１から１０のいずれかに記載の無線ネットワークインターフェース。
【請求項１２】
前記コンポーネントは、前記スリープ状態の間、ＷＬＡＮ周波数からＷｉＭＡＸ周波数へと選択的にスイッチングする無線周波数サブシステム（ＲＦサブシステム）を含む、請求項１１に記載の無線ネットワークインターフェース。
【請求項１３】
前記ＷＬＡＮサブクライアントモジュールは、前記スリープ状態の間に信号を定期的に受信する、請求項１１または１２に記載の無線ネットワークインターフェース。
【請求項１４】
前記ＷｉＭＡＸサブクライアントモジュールが第２の信号を受信することになっているとき、前記受信される第１の信号の少なくとも１つはスキップされる、請求項１３に記載の無線ネットワークインターフェース。
【請求項１５】
前記ＷＬＡＮサブクライアントモジュールのネットワーク接続品質がＷＬＡＮネットワーク切断閾値を上回るとき、前記コンポーネント共有制御モジュールは、前記スリープ状態を基地局により選択的に決定し、前記基地局は、前記ＷｉＭＡＸサブクライアントモジュールと通信する、請求項１３または１４に記載の無線ネットワークインターフェース。
【請求項１６】
前記コンポーネント共有制御モジュールは、媒体アクセス制御モジュール（ＭＡＣ）を含む、請求項１から１５のいずれかに記載の無線ネットワークインターフェース。
【請求項１７】
前記第２のサブクライアントモジュールを通じて前記コンポーネントと通信する第３のサブクライアントモジュール
をさらに備え、
前記第１のサブクライアントモジュールは、前記第３のサブクライアントモジュールが前記コンポーネントを使用している間、アクセスポイントおよびベースステーションの１つへの登録を維持する、請求項１から１６のいずれかに記載の無線ネットワークインターフェース。
【請求項１８】
前記第２のサブクライアントモジュールを通じて前記コンポーネントと通信する第３のサブクライアントモジュール
をさらに備え、
前記第１のサブクライアントモジュールは、前記第３のサブクライアントモジュールにオフセット値を送信し、
前記第３のサブクライアントモジュールは、前記オフセット値に基づいて送受信することにより、ＭＡＰとの干渉を避ける、請求項１から１６のいずれかに記載の無線ネットワークインターフェース。
【請求項１９】
前記第２のサブクライアントモジュールを通じて前記コンポーネントと通信する第３のサブクライアントモジュールと、
前記第１のサブクライアントモジュールおよび前記第２のサブクライアントモジュールと通信する共存制御モジュールと
をさらに備え、
前記共存制御モジュールは、前記第１のサブクライアントモジュールおよび前記第３のサブクライアントモジュールの伝送を再調整することにより干渉を防ぐ、請求項１から１６のいずれかに記載の無線ネットワークインターフェース。
【請求項２０】
前記第２のサブクライアントモジュールは、信号品質に基づいて前記第１のサブクライアントモジュールにハンドオフする、請求項１から１４のいずれかに記載の無線ネットワークインターフェース。
【請求項２１】
前記第２のサブクライアントモジュールは、前記第２のサブクライアントモジュールが前記第１のサブクライアントモジュールにハンドオフしようとしていることを示すトリガをアクセスポイントに送信し、
前記第２のサブクライアントモジュールは、前記アクセスポイントからハンドオフの確認を受け取った後、前記第１のサブクライアントモジュールにハンドオフする、請求項２０に記載の無線ネットワークインターフェース。
【請求項２２】
前記ＲＦサブシステムは、フィルタ、スイッチ、送信機（Ｔｘ）、受信機（Ｒｘ）、および、ベースバンドプロセッサ（ＢＢＰ）モジュールを含む、請求項４に記載の無線ネットワークインターフェース。
【請求項２３】
請求項１から２２のいずれかに記載の無線ネットワークインターフェースと、
ネットワークと通信する基地局と
を備え、
前記ＷｉＭＡＸサブクライアントモジュールは、前記ＷＬＡＮサブクライアントモジュールが前記コンポーネントを使用する間、前記基地局にビジー信号を伝送する、システム。
【請求項２４】
請求項１から２２のいずれかに記載の無線ネットワークインターフェース
を備え、
前記ＷＬＡＮサブクライアントモジュールは、再ＭＡＰ（移動通信応用部）伝送および前記ＷｉＭＡＸサブクライアントモジュールからの信号の少なくとも１つからＷｉＭＡＸ信号を検出する、システム。
【請求項２５】
前記ＷＬＡＮサブクライアントモジュールと無線通信する第１のアクセスポイント（ＡＰ）
をさらに備え、
前記ＷＬＡＮサブクライアントモジュールは、前記ＷｉＭＡＸ信号による干渉と、前記第１のアクセスポイントが、前記ＷＬＡＮサブクライアントモジュールと通信するために使用する複数の伝送チャネルの間でスイッチングすべきであることとを前記第１のアクセスポイントに通知する、請求項２４に記載のシステム。
【請求項２６】
前記第２のサブクライアントモジュールは、前記第１のアクセスポイントが前記複数の伝送チャネルの間でスイッチングしなかった場合に、第２のアクセスポイントをスキャンする、請求項２５に記載のシステム。
【請求項２７】
請求項１６に記載の無線ネットワークインターフェースと、
複数のアクセスポイント（ＡＰ）と、
基地局と
を備え、
前記ＭＡＣは、前記第１のサブクライアントモジュールと前記第２のサブクライアントモジュールとを前記複数のアクセスポイントおよび基地局のそれぞれに選択的に接続するモバイルマネージャ・モジュールを含む、システム。
【請求項２８】
前記ＭＡＣは、前記第１のサブクライアントモジュールおよび前記第２のサブクライアントモジュールの状態を制御する共存制御モジュールをさらに含み、前記状態は、アイドル、スキャン、ネットワークエントリ、登録済み、および、アクティブを含む、請求項２７に記載のシステム。
【請求項２９】
前記共存制御モジュールは、前記第１のサブクライアントおよび前記第２のサブクライアントのどちらが前記コンポーネントに対し優先権があるのかを決定し、前記優先権に基づき、前記選択的な遷移を制御する、請求項２８に記載のシステム。